(57)【特許請求の範囲】
【請求項１】
版胴の表面近くで軸方向に、版胴の表面に開口する溝を設けた溝穴を設け、
上記溝の版胴の回転方向上流側の側端を、溝の内面と版胴の接線との角度を鋭角にした上流側のくわえエッジとし、溝の版胴の回転方向下流側の側端を、溝の内面と版胴の接線との角度を９０度及び９０度に近い角度にした下流側のくわえエッジとし、
刷版のくわえ側を上記上流側のくわえエッジに係合し、
刷版のくわえ尻を、折り曲げ先端側が溝内でくわえエッジの内面に当接する形状となるようにした１段折り曲げ形状として下流側のくわえエッジに係合し、
溝穴に挿入されるくわえ棒に、このくわえ棒をくわえ方向に回動した状態で下流側のくわえエッジの内面に対向している上記刷版のくわえ尻をくわえエッジの内面に押圧する押圧部材を固着し、
くわえ棒に、このくわえ棒を上記押圧部材による刷版のくわえ尻側を押圧するくわえ方向に回動させるようにして版胴側に設けたくわえ作動装置を連結し、
このくわえ作動装置は、くわえ棒に固着したくわえアームと、このくわえアームの先端部に回転自在に一端を連結したトグルロッドと、版胴側に固着されたブラケットに回転自在に支持され、かつ上記トグルロッドが摺動自在に嵌合する支持部材と、トグルロッドの段部と支持部材との間に介装されてトグルロッドをくわえアーム側へ付勢するトグルばねとからなり、くわえアームとトグルロッドとの連結点がくわえアームの回転中心と支持部材の回転中心を結ぶ直線を一方側へ越えてくわえアームがトグルばねによる付勢力にて回動することにより押圧部材が刷版のくわえ尻側に当接する方向に回動するようにし、このくわえアームの一端部に、このくわえ棒をくわえ方向へ回動したときに版胴側に当接するねじにて構成したストッパを設け、このストッパの突出長さを調整することによりくわえ棒のくわえ方向への回動角を変えて、このくわえ棒に固着した押圧部材の上記当接力を調整可能にした
ことを特徴とする版胴における刷版クイックくわえ装置。
【発明の詳細な説明】
【０００１】
【発明の属する技術分野】
本発明は、例えば輪転機用の版胴における刷版クイックくわえ装置に関するものである。
【０００２】
【従来の技術】
従来のこの種の刷版クイックくわえ装置では、図１に示すようになっていて、版胴ａの溝ｂを有する溝穴ｃに挿入するくわえ棒ｄに、板ばねにて鉤状に形成した引掛け部材ｅを固着し、溝ｂから挿入した刷版ｆのくわえ尻ｇをこの引掛け部材ｅに引掛けてからくわえ棒ｄをトグル機構にてくわえ方向（図中左回転方向）に回転することによりクイックくわえができるようになっている。
【０００３】
そして上記したような構成のため、刷版ｆのくわえ尻の形状は、図１に示すように、版胴ａの周面から溝ｂ内に入る部分と、上記引掛け部材ｅに引掛ける部分とに２段に折り曲げられた形状になっている。
【０００４】
【発明が解決しようとする課題】
刷版ｆのくわえ尻が２段に折り曲げられていること、特に、先端側の折り曲げ角度は引掛け部材ｅにはずれることなく引掛けるように略９０度に折り曲げられているため、版胴ａの溝ｂの開口幅は少なくとも上記くわえ尻ｇの先端側の折り曲げ幅より大きくしなければならず、どうしてもこの溝ｂの幅はある程度大きくしなければならなかった。このため、版胴ａの回転時に伴う圧胴やブランケット胴との転接による溝部での衝撃振動が発生し、印刷障害を発生しやすかった。
【０００５】
また、くわえ尻ｇの先端側の曲げ部をくわえ棒ｄの引掛け部材ｅで引掛けるようにした構造であるため、くわえ棒ｄの停止角度を正確に引掛け位置に合わせないと、運転中にくわえ尻ｇが引掛け部材ｅからはずれてしまい、刷版ｆが版胴ａから脱落する等の危険性があった。
【０００６】
本発明は上記のことに鑑みなされたもので、刷版のくわえ尻を１段折り曲げ形状にして、その折り曲げ先端部だけを溝穴の溝から挿入してこのくわえ尻をくわえることができるようにすることにより、溝穴の溝の開口幅を狭くでき、またくわえ棒の停止角度を確認しなくとも、くわえ尻部のゆるみによる刷版の脱落を防止できるようにした版胴における刷版クイックくわえ装置を提供することを目的とするものである。
【０００７】
【課題を解決するための手段】
上記目的を達成するために、本発明に係る版胴における刷版クイックくわえ装置は、胴の表面近くで軸方向に、版胴の表面に開口する溝を設けた溝穴を設け、上記溝の版胴の回転方向上流側の側端を、溝の内面と版胴の接線との角度を鋭角にした上流側のくわえエッジとし、溝の版胴の回転方向下流側の側端を、溝の内面と版胴の接線との角度を９０度及び９０度に近い角度にした下流側のくわえエッジとし、刷版のくわえ側を上記上流側のくわえエッジに係合し、刷版のくわえ尻を、折り曲げ先端側が溝内でくわえエッジの内面に当接する形状となるようにした１段折り曲げ形状として下流側のくわえエッジに係合し、溝穴に挿入されるくわえ棒に、このくわえ棒をくわえ方向に回動した状態で下流側のくわえエッジの内面に対向している上記刷版のくわえ尻をくわえエッジの内面に押圧する押圧部材を固着し、くわえ棒に、このくわえ棒を上記押圧部材による刷版のくわえ尻側を押圧するくわえ方向に回動させるようにして版胴側に設けたくわえ作動装置を連結し、このくわえ作動装置は、くわえ棒に固着したくわえアームと、このくわえアームの先端部に回転自在に一端を連結したトグルロッドと、版胴側に固着されたブラケットに回転自在に支持され、かつ上記トグルロッドが摺動自在に嵌合する支持部材と、トグルロッドの段部と支持部材との間に介装されてトグルロッドをくわえアーム側へ付勢するトグルばねとからなり、くわえアームとトグルロッドとの連結点がくわえアームの回転中心と支持部材の回転中心を結ぶ直線を一方側へ越えてくわえアームがトグルばねによる付勢力にて回動することにより押圧部材が刷版のくわえ尻側に当接する方向に回動するようにし、このくわえアームの一端部に、このくわえ棒をくわえ方向へ回動したときに版胴側に当接するねじにて構成したストッパを設け、このストッパの突出長さを調整することによりくわえ棒のくわえ方向への回動角を変えて、このくわえ棒に固着した押圧部材の上記当接力を調整可能にした構成になっている。
【０００８】
【作用】
刷版は、これのくわえ側は版胴の溝穴の版胴の回転方向上流側のくわえエッジに係合し、くわえ尻は下流側のくわえエッジに係合し、このくわえ尻の内面が、くわえ棒に固着した押圧部材にて押圧されることにより版胴に装着される。刷版のくわえ尻は１段折り曲げ形状になっていて、これの折り曲げ先端部が溝穴の溝から下流側のくわえエッジの内面に沿って挿入する。このため、溝穴の溝の開口幅は刷版のくわえ側及びくわえ尻の折り曲げ先端部が挿入することができる幅でよく、これを十分狭くできる。
【０００９】
【発明の実施の形態】
本発明の実施の形態を図２以下に基づいて説明する。図中１は版胴であり、２はこの版胴１の表面近くに軸方向に設けた溝穴で、この溝穴２の断面形状は、版胴１の表面に開口する溝３と、この溝３と対向する底部を円形にしたくわえ棒挿入部４と、このくわえ棒挿入部４から上記溝３の両側端に至る斜面状に形成したくわえエッジ５ａ，５ｂを有する形状になっている。そしてこの両くわえエッジ５ａ，５ｂの一方、すなわち版胴１の回転方向上流側のくわえエッジ５ａの版胴周面とくわえエッジの内面とのなす角度は刷版６のくわえ側６ａを係合するように鋭角になっている。一方版胴１の回転方向下流側のくわえエッジ５ｂの版胴周面とくわえエッジの内面とのなす角度は版胴１の接線に対して９０度に近い角度（９０度でもよい）になっている。
【００１０】
７は上記溝穴２内に挿入されるくわえ棒であり、このくわえ棒７は図３、図４にて示す版胴１の両端に固着されるベアラ８に回転自在に支持されている。そしてこのくわえ棒７の断面形状は図２に示すように、一側部を切除して切欠面９を有する切欠円形状となっており、この切欠面９に、先端が上記くわえ尻側のくわえエッジ５ｂの内面に対向するくわえ板１０の基端がボルト１１にて固着されている。くわえ板１０は板ばねにて構成されていて、くわえ棒７をくわえ板１０の先端が回転方向下流側のくわえエッジ５ｂの内面に当接する方向に回転したときに、このくわえエッジ５ｂの内面に弾性変形して当接するようになっている。
【００１１】
版胴１に装着する刷版６のくわえ側６ａは溝穴２の上流側のくわえエッジ５ａに係合するように鋭角に１段折り曲げ状になっており、またくわえ尻６ｂは折り曲げ先端部が下流側のくわえエッジ５ｂの内面に当接するように１段折り曲げ状になっている。
【００１２】
上記くわえ棒７の両端部はベアラ８，８より突出しており、このくわえ棒７の各端部にクイックくわえ作動装置１２が連結してある。
【００１３】
クイックくわえ作動装置１２は、図３、図４に示すように、くわえ棒７の先端部に固着されたくわえアーム１３と、くわえアーム１３の先端部に回転自在に一端を連結したトグルロッド１４と、ベアラ８に固着されたブラケット１５に回転自在に支持され、かつ上記トグルロッド１４が摺動自在に嵌合する支持部材１６と、トグルロッド１４の段部と支持部材１６との間に介装されてトグルロッド１４をくわえアーム１３側へ付勢するトグルばね１７とからなっている。
【００１４】
そして、くわえアーム１３の回転中心を０１、トグルロッド１４の連結点を０２、支持部材１６の回転中心を０３としたときに、０２が０１と０３を結ぶ直線を越えてベアラ８の外径側と内径側へ移動するように、それぞれトグルばね１７の付勢力に抗してくわえアーム１３が回動するようになっている。そしてくわえアーム１３が一方側（ベアラ８の外径側）へ回動したときにくわえ棒７のくわえ板１０の先端が溝穴２の下流側のくわえエッジ５ｂの内面に付勢当接されるようになっている。くわえアーム１３にはこのくわえ板１０の当接力を調整するための六角穴付きのねじにて構成したストッパ１８が版胴１の軸１ａに先端が当接するようにして設けてある。このストッパ１８はくわえアーム１３の他側部のすり割部にねじ込まれていて、ボルト１９により固着されており、このボルト１９をゆるめると共にストッパ１８を回転することにより、これの突出長さが調整できるようになっている。上記くわえ板１０はくわえ棒７の全長にわたって一体状のものを用いてもよいが、図４に示すように短いものを複数用いてもよい。くわえアーム１３には、これを上記トグルばね１７に抗して回動するための治具を係合するための穴２０が設けてある。
【００１５】
上記構成において、くわえアーム１３が、トグルロッド１４の連結点０２が他方側（ベアラ８の内径側）に回動した状態でくわえ板１０がくわえエッジ５ｂの内面から離間される。この状態でくわえ側６ａを刷版１の溝穴２の溝３の回転方向下流側のくわえエッジ５ａに引掛けて刷版１に巻き掛け、これのくわえ尻６ｂを溝３に挿入して下流側のくわえエッジ５ｂに係合する。ついでくわえアーム１３を、逆方向に回動することにより、くわえ板１０の先端でくわえ尻６ｂがくわえエッジ５ｂの内面に押さえ付けられて固定される。
【００１６】
このとき、刷版６のくわえ側６ａとくわえ尻６ｂのそれぞれの形状が、１段だけ折り曲げた形状であり、かつその折り曲げ先端側が溝穴２の溝３に、それぞれくわえエッジ６ａ，６ｂの内面に沿わせて挿入するようになっていることにより、溝３の幅は刷版６の厚さより少し大きければよく、これを十分狭くすることができる。
【００１７】
なおこの実施の形態において、版胴１への刷版６の着脱は、版胴１に転接するコロを設け、くわえ板１０を版胴１の回転に連動して作動させるカムレバーなどをくわえ棒７の端部に設けることにより、刷版６の自動装着が可能である。
【００１８】
【発明の効果】
本発明によれば、刷版のくわえ尻は１段折り曲げ形状にして、このくわえ尻の折り曲げ先端部だけを溝穴の溝から挿入してこのくわえ尻をくわえることができることにより、溝穴の溝の開口幅を、刷版のくわえ側及びくわえ尻の折り曲げ先端部が挿入することができる幅でよく、これを十分狭くすることができる。
【００１９】
これにより、版胴の回転時に伴う圧胴やブランケット胴との転接による溝部での衝撃振動を軽減することができる。
【００２０】
また、くわえ尻は押圧部材にてくわえエッジの内面に押圧することにより版胴にくわえられることにより、くわえ棒のくわえ方向の停止角度を刷版ごとに確認しなくともよく、刷版を確実に、かつワンタッチ動作にて装着することができる。
【図面の簡単な説明】
【図１】従来の構成を示す断面図である。
【図２】本発明の実施の形態の要部を示す断面図である。
【図３】本発明の実施の形態におけるクイックくわえ作動部を示す正面図である。
【図４】本発明の実施の形態におけるクイックくわえ作動部を示す断面図である。
【符号の説明】
１…版胴、２…溝穴、３…溝、４…くわえ棒挿入部、５ａ，５ｂ…くわえエッジ、６…刷版、７…くわえ棒、８…ベアラ、９…切欠面、１０…くわえ板、１１…ボルト、１２…クイックくわえ作動装置、１３…くわえアーム、１４…トグルロッド、１５…ブラケット、１６…支持部材、１７…トグルばね、１８…ストッパ、１９…ボルト。
【図１】
0004666707.tif 000002
【図２】
0004666707.tif 000003
【図３】
0004666707.tif 000004
【図４】
0004666707.tif 000005